(57)【要約】  【課題】薄い鋼板で通路規制板を構成しても、変形することなく多種類の缶飲料やペット飲料、ビン飲料を確実に収納販売できる自動販売機の商品収納装置を提供する。  【解決手段】商品搬出装置３と対向して設けられる通路規制板４を有するものにおいて、側板２に配した開口穴６に挿入係止するように通路規制板４の両側部に突出した係合部５を備え、通路規制板４の上下端の少なくとも一方が略密着に折り返された折り返し部１４を有し、折り返し部１４に連続して係合部５を形成することにより、通路規制板４を薄い鋼板で構成しても、変形することなく、円滑に前後方向に動かすことができ、様々な外径の商品を販売することができる。【選択図】図５
2010108021.tif 000002
【特許請求の範囲】
【請求項１】
商品の側面を略水平にして商品を上下方向に積み上げて収納する商品通路を形成する左右に対向した側板と、前記側板間に形成された前記商品通路の下端に商品を１本ずつ払い出す商品搬出装置と、前記商品搬出装置と対向して設けられる通路規制板を有するものにおいて、前記側板に配した開口穴に挿入係止するように前記通路規制板の両側部に突出した係合部を備え、前記通路規制板の上下端の少なくとも一方が略密着に折り返された折り返し部を有し、前記折り返し部に連続して前記係合部を形成することを特徴とする自動販売機の商品収納装置。
【請求項２】
前記折り返し部の根元部分に隙間を設けたことを特徴とする請求項１に記載の自動販売機の商品収納装置。
【請求項３】
前記係合部は、前記通路規制板を折り曲げて折曲部を形成し、前記通路規制板に略密着させたことを特徴とする請求項１または２に記載の自動販売機の商品収納装置。
【請求項４】
係合部が位置する通路規制板に凹部を形成し、前記係合部を前記凹部に配置したことを特徴とする請求項１から３のいずれか一項に記載の自動販売機の商品収納装置。
【請求項５】
通路規制板の上下方向の中間部の通路側に凸形状の商品保持部と、略上下端に設けた左右に連続した折曲部間に前記商品保持部も含めて上下方向のビードを配したことを特徴とする請求項１から４のいずれか一項に記載の自動販売機の商品収納装置。
【請求項６】
通路規制板の上下方向の中間部の左右両側部に係合爪を設けたことを特徴とする請求項１から５のいずれか一項に記載の自動販売機の商品収納装置。
【発明の詳細な説明】
【技術分野】
【０００１】
本発明は、缶、瓶商品またはＰＥＴ容器の商品を販売する自動販売機の商品収納装置に関するものである。
【背景技術】
【０００２】
従来、この種の自動販売機の商品収納装置は、本体内部にサーペンタイン式の商品通路が前後方向に複数列設けられており、その商品通路では、缶、瓶またはＰＥＴ容器などの様々な外径の商品が横になった状態で縦列に収納することが必要で、商品通路の下端に設けられた商品搬出装置と対向して設けられた通路規制板を前後方向に動かすことで、販売できるようになっている（例えば、特許文献１参照）。
【０００３】
図７は特許文献１に記載された従来の自動販売機の商品収納装置を示すものである。
【０００４】
図７に示すように、従来の商品収納装置は、商品の側面を水平にして商品を上下方向に収納する商品通路１０１と、商品通路１０１を形成する左右に対向する２つの側板１０２と、側板１０２間に形成される商品通路１０１の下端に商品を１本ずつ払い出す商品搬出装置（図示しない）と対向して設けられる通路規制板１０４と、通路規制板１０４の両側部に設けられた係合部１０５と、側板１０２に設けられた係合部１０５が移動可能に係合される開口穴１０６とで構成されており、販売商品の外径に合わせて通路規制板１０４の係合部１０５を開口穴１０６に沿って移動させることで、同一商品通路においても様々な外径の商品の販売を可能にしたものである。
【特許文献１】特開２００１−３４４６５０号公報
【発明の開示】
【発明が解決しようとする課題】
【０００５】
しかしながら、上記従来の構成では、側板１０２に係合部１０５が複数の設定位置に移動可能に係合される開口穴１０６を配するために、通路規制板１０４の両側部に設けた係合部１０５を小さく構成しなくてはならず、また、係合部１０５に販売する際に積み上げられた商品の荷重がすべて集中するため、変形しないように通路規制板１０４と係合部１０５は厚い鋼板を切断し一体で形成されており、材料の使用量が非常に多いという課題を有していた。
【０００６】
本発明は、上記従来の課題を解決するもので、通路規制板を薄い鋼板で構成しても、変形することなく、円滑に前後方向に動かすことができ、様々な外径の商品を販売することができる自動販売機の商品収納装置を提供することを目的とする。
【課題を解決するための手段】
【０００７】
上記従来の課題を解決するために、本発明の自動販売機の商品収納装置は、商品の側面を略水平にして商品を上下方向に積み上げて収納する商品通路を形成する左右に対向した側板と、前記側板間に形成された前記商品通路の下端に商品を１本ずつ払い出す商品搬出装置と、前記商品搬出装置と対向して設けられる通路規制板を有するものにおいて、前記側板に配した開口穴に挿入係止するように前記通路規制板の両側部に突出した係合部を備え、前記通路規制板の上下端の少なくとも一方が略密着に折り返された折り返し部を有し、前記折り返し部に連続して前記係合部を形成するものである。
【０００８】
これによって、通路規制板を薄い鋼板で構成しても、通路規制板の上下端の少なくとも一方の略密着に折り返された折り返し部および折り返し部に連続して形成した係合部により、通路規制板および係合部の強度が高まり、側板に配した開口穴に挿入係止する係合部および通路規制板が変形することなく、円滑に通路規制板を前後方向に動かすことができる。
【発明の効果】
【０００９】
本発明の自動販売機の商品収納装置は、通路規制板を薄い鋼板で構成しても、変形することなく、円滑に前後方向に動かすことができ、コスト低減を図りながら様々な外径の商品を販売することができる。
【発明を実施するための最良の形態】
【００１０】
請求項１に記載の発明は、商品の側面を略水平にして商品を上下方向に積み上げて収納する商品通路を形成する左右に対向した側板と、前記側板間に形成された前記商品通路の下端に商品を１本ずつ払い出す商品搬出装置と、前記商品搬出装置と対向して設けられる通路規制板を有するものにおいて、前記側板に配した開口穴に挿入係止するように前記通路規制板の両側部に突出した係合部を備え、前記通路規制板の上下端の少なくとも一方が略密着に折り返された折り返し部を有し、前記折り返し部に連続して前記係合部を形成するものであり、通路規制板を薄い鋼板で構成しても、通路規制板の上下端の少なくとも一方の略密着に折り返された折り返し部および折り返し部に連続して形成した係合部により、通路規制板および係合部の強度が高まり、側板に配した開口穴に挿入係止する係合部および通路規制板が変形することなく、円滑に通路規制板を前後方向に動かすことができ、コスト低減を図りながら様々な外径の商品を販売することができる。
【００１１】
請求項２に記載の発明は、請求項１に記載の発明において、前記折り返し部の根元部分に隙間を設けたものであり、根元部分の隙間の形成により加工時のスプリングバックを抑え、通路規制板の上下端の折り返し部の密着性を高めることができる。
【００１２】
請求項３に記載の発明は、請求項１または２に記載の発明において、前記係合部は、前記通路規制板を折り曲げて折曲部を形成し、前記通路規制板に略密着させたものであり、係合部の強度を高めることができる。
【００１３】
請求項４に記載の発明は、請求項１から３のいずれか一項に記載の発明において、係合部が位置する通路規制板に凹部を形成し、前記係合部を前記凹部に配置したものであり、凹部の形成により、通路規制板の強度が高められるとともに、前記係合部の前記通路規制板への密着性を高めることができ、係合部の強度をさらに高めることができる。
【００１４】
請求項５に記載の発明は、請求項１から４のいずれか一項に記載の発明において、通路規制板の上下方向の中間部の通路側に凸形状の商品保持部と、略上下端に設けた左右に連続した折曲部間に前記商品保持部も含めて上下方向のビードを配したものであり、さらに通路規制板の強度を高めることができる。
【００１５】
請求項６に記載の発明は、請求項１から５のいずれか一項に記載の発明において、通路規制板の上下方向の中間部の左右両側部に係合爪を設けたものであり、通路規制板のたわみが小さくなり、変形することなく、様々な外径の商品を確実に販売することができる。
【００１６】
以下、本発明の実施の形態について、図面を参照しながら説明する。なお、この実施の形態によってこの発明が限定されるものではない。
【００１７】
（実施の形態１）
図１は、本発明の実施の形態１における自動販売機の商品収納装置の斜視図である。図２は、同実施の形態における自動販売機の商品収納装置の通路規制板部の斜視図である。図３は、同実施の形態における自動販売機の商品収納装置の通路規制板の要部側面図である。図４は、同実施の形態における自動販売機の商品収納装置の通路規制板の要部断面図である。図５は、図２のＡ部拡大図、図６は、図２のＢ部拡大図である。
【００１８】
図１から図６において、商品収納装置は、側板２間に上下方向に蛇行したサーペンタイン式の商品通路１を前後方向に複数列形成し、各商品通路１の下端には商品通路１を挟んで商品搬出装置３と通路規制板４が設けられ、上端には商品を入れる商品投入口７が設けられている。
【００１９】
通路規制板４の両側部の略上下端の４箇所には突出した係合部５と、側板２には係合部５が移動可能に係合される開口穴６が設けられている。通路規制板４の略上端の両側部に設けた係合部５は、まず通路規制板４の端部を折り曲げて左右方向に連続して形成した折曲部としてのカーリング８の両端部に通路規制板４の端面から突出して形成する。その後、さらに通路規制板４の上端を商品通路１の反対側に向けて根元部分に隙間９をあけて折り返して、通路規制板４の商品通路１の反対側の面と略密接するように折り返し部１４を形成することで、折り返し部１４に連続して折曲部としてのカーリング８およびその両端部に係合部５を形成することになる。通路規制板４の略下端の両側部に設けた係合部５についても、上端と同様に連続したカーリング８が下端を折り返され商品通路１の反対側の面と略密接するように配される。
【００２０】
また、係合部５およびカーリング８が位置する通路規制板４には左右に連続した曲面状の凹部１３を有し、係合部５およびカーリング８を凹部１３に密着して配置している。
【００２１】
なお、カーリング８およびカーリング８と連続する係合部５の折曲端面は、係合部５が移動可能に係合される開口穴６に対する摺動面と一致しないようにずらして形成している。
【００２２】
また、通路規制板４の上下方向の中間部に位置する略中央部に商品通路１側に凸となるよう形成する商品保持部１０と、略上下端の連続したカーリング８間に垂直方向に連続した凸となるビード１１が商品通路１と反対側に設けられる。
【００２３】
また、商品保持部１０近傍の両側部には左右に突出した係合爪１２を設け、側板２には係合爪１２が移動可能に係合される開口穴６ａを設けている。そして商品を販売する設定の位置で係合爪１２の商品通路１と反対側の面が開口穴６ａと略密接するように配置される。なお、係合爪１２の軸線に沿ってビード１５を形成することで、係合爪１２の強度を高めることができる。
【００２４】
以上のように構成された自動販売機の商品収納装置について、以下その動作を説明する。
【００２５】
３５０ｍｌの缶容器のように外径が大きな商品を収納する場合は通路規制板４を操作して商品搬出装置３との間を大きくするよう通路規制板４の係合部５を開口穴６に沿って移動設定し、また、小型のビンのように外径が小さい商品を収納する場合は商品搬出装置３との間を小さくするよう移動設定する。そして、商品を商品投入口７から入れて、商品を商品投入口７付近まで来るように積み上げ収納する。その後、販売指令により商品搬出装置３が動作し、最下部の商品以外の上に積み上げられた商品を商品搬出装置３と通路規制板４とで保持することで１本ずつ払い出し、異なる外径の商品の販売が可能となる。
【００２６】
以上のように本実施の形態においては、通路規制板４の略上端の両側部に設けた係合部５は、通路規制板４の端部を折り曲げて左右方向に連続して形成した折曲部としてのカーリング８の両端部に通路規制板４の端面から突出して形成しているので、通路規制板４を薄い鋼板で構成しても、左右に連続した折曲部としてのカーリング８により係合部の強度が高められ、側板に配した開口穴に挿入係止する係合部が変形することなく、円滑に通路規制板を前後方向に動かすことができ、コスト低減を図りながら様々な外径の商品を販売することができる。
【００２７】
また、係合部５を小さな円形断面のカーリング８で構成したことで、側板２に配した開口穴６の移動設定に必要な開口穴幅を小さく構成できることで、開口穴６の強度を保持しつつ、商品の外径に合わせて最適な位置に細かく設定できる形状が容易に形成でき、様々な外径の商品に対応することができる。そして、移動設定の際にも、開口穴６の端面と係合部５が引っ掛ることなくスムーズに設定することができる。
【００２８】
また、カーリング８およびカーリング８と連続する係合部５の折曲端面は、係合部５が移動可能に係合される開口穴６に対する摺動面と一致しないようにずらして形成しているので、移動設定の際にも、開口穴６の端面と係合部５が引っ掛ることなくスムーズに設定することができる。
【００２９】
また、係合部５およびカーリング８が位置する通路規制板４には左右に連続した曲面状の凹部１３を有し、係合部５およびカーリング８を凹部１３に密着して配置しているので、通路規制板４の強度が高められるとともに、係合部５の通路規制板４への密着性を高めることができ、係合部５の強度をさらに高めることができる。
【００３０】
また、通路規制板４の上端を商品通路１の反対側に向けて根元部分に隙間９をあけて折り返して、通路規制板４の商品通路１の反対側の面と略密接するように折り返し部１４を形成し、折り返し部１４に連続して係合部５を形成することで、通路規制板４を薄い鋼板で構成しても、通路規制板４の上下端の少なくとも一方の略密着に折り返された折り返し部１４および折り返し部１４に連続して形成した係合部５が形成され、通路規制板４および係合部５の強度が高まり、側板２に配した開口穴６に挿入係止する係合部５および通路規制板４が変形することなく、円滑に通路規制板４を前後方向に動かすことができ、コスト低減を図りながら様々な外径の商品を販売することができる。
【００３１】
また、折り返し部１４の根元部分に隙間９をあけて折り返すことで、加工時のスプリングバックを抑え、通路規制板４の上下端の折り返し部１４の密着性を高めることができる。
【００３２】
また、通路規制板４の上下方向の略中央部に通路側に凸形状の商品保持部１０と、略上下端に設けた左右に連続したカーリング８間に商品保持部１０も途切れることなく連続した上下方向のビード１１を配したことにより、薄い鋼板で形成しても、商品を保持することにより加わる荷重を連続した上下方向のビード１１が受けるため、変形することなく商品を販売することができる。
【００３３】
また、通路規制板４の上下方向の略中央部の左右に係合爪１２を設けたことにより、薄い鋼板で形成しても商品を保持することにより加わる荷重を係合爪１２の商品通路１と反対側の面が開口穴６ａと当接して受けることで、通路規制板４のたわみを抑制することができ、変形することなく商品を販売することができる。
【００３４】
なお、従来と同一の大きさで通路規制板４の係合部５を形成することができることにより、従来の側板２が流用可能で通路規制板４を薄い鋼板で形成するだけで良く、投資抑制を図ることもできる。
【産業上の利用可能性】
【００３５】
以上のように本発明にかかる飲料自動販売機は多種類の缶飲料やペット飲料、ビン飲料の自動販売機に対応でき、商品収納装置の使用材料を削減した自動販売機を提供できる。
【図面の簡単な説明】
【００３６】
【図１】本発明の実施の形態１における自動販売機の商品収納装置の斜視図
【図２】同実施の形態における自動販売機の商品収納装置の通路規制板部の斜視図
【図３】同実施の形態における自動販売機の商品収納装置の通路規制板の要部側面図
【図４】同実施の形態における自動販売機の商品収納装置の通路規制板の要部断面図
【図５】図２のＡ部拡大図
【図６】図２のＢ部拡大図
【図７】従来の自動販売機の商品収納装置の要部斜視図
【符号の説明】
【００３７】
１    商品通路
２    側板
３    商品搬出装置
４    通路規制板
５    係合部
６    開口穴
６ａ  開口穴
８    カーリング
１０  商品保持部
１１  ビード
１２  係合爪
１３  凹部
１４  折り返し部
１５  ビード
【図１】
2010108021.tif 000003
【図２】
2010108021.tif 000004
【図３】
2010108021.tif 000005
【図４】
2010108021.tif 000006
【図５】
2010108021.tif 000007
【図６】
2010108021.tif 000008
【図７】
2010108021.tif 000009